(57)【要約】  本発明は、標識物質として少なくとも１のアントラキノン誘導体を含有する燃料および潤滑剤添加剤の濃縮物、鉱油に添加剤を添加するための該濃縮物の使用ならびに該濃縮物を含有する鉱油に関する。【特許請求の範囲】
【請求項１】
標識物質として少なくとも１のアントラキノン誘導体を含有する燃料および潤滑剤添加剤の濃縮物。
【請求項２】
式Ｉ
【化１】
2007515532.tif 000028
式ＩＩ
【化２】
2007515532.tif 000029
式ＩＩＩ
【化３】
2007515532.tif 000030
［式中、
Ｚ１、Ｚ２は相互に無関係に水素、ヒドロキシ、ＯＲ、ＮＨＲまたはＮＲ２を表し、
Ｒ１、Ｒ２は相互に無関係にＲまたはＣＯＲを表し、
Ｘは水素、シアノ、ニトロ、ヒドロキシ、ＯＲ、アミノ、ＮＨＲ、ＲまたはＣＨ（Ｒ９）（Ｒ１０）を表し、
ｎ、ｍは０、１、２、３または４を表し、その際、そのつどｎもしくはｍが１より大である場合、基ＲもしくはＸは同じであるか、または相互に異なっており、
Ｒ９、Ｒ１０は相互に無関係にシアノ、ＣＯＯＨまたはＣＯＯＲを表し、
Ｒ３は水素、ＲまたはＮＨＲを表し、
Ｒ４〜Ｒ８は相互に無関係に水素、ＲまたはＮＨＲを表し、かつ
Ｒはエーテル官能基中で１〜４の酸素原子により中断されていてもよいＣ１〜Ｃ２０−アルキル、エーテル官能基中で１〜４の酸素原子により中断されていてもよい１もしくは複数のＣ１〜Ｃ２０−アルキル基により置換されていてもよいＣ５〜Ｃ７−シクロアルキル、エーテル官能基中で１〜４の酸素原子により中断されていてもよい１もしくは複数のＣ１〜Ｃ２０−アルキル基により置換されていてもよい飽和の複素環式の５員もしくは６員の基、１もしくは複数のハロゲン、シアノ、ニトロ、ヒドロキシ、アミノ、エーテル官能基中で１〜４の酸素原子により中断されていてもよいＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより置換されていてもよいＣ６〜Ｃ１０−アリール、エーテル官能基中で１〜４の酸素原子により中断されていてもよい１もしくは複数のＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより置換されていてもよい、３〜１２の炭素原子を有するヘテロアリール、アリール基中で１もしくは複数のハロゲン、シアノ、ニトロ、ヒドロキシ、アミノ、エーテル官能基中で１〜４の酸素原子により中断されていてもよいＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより置換されていてもよいＣ６〜Ｃ１０−アリール−Ｃ１〜Ｃ４−アルキル、またはヘテロアリール基中に３〜１２の炭素原子を有するヘテロアリール−Ｃ１〜Ｃ４−アルキルを表し、その際、後者は、エーテル官能基中で１〜４の酸素原子により中断されていてもよい１もしくは複数のＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより置換されていてもよい］の化合物からなる群から選択される少なくとも１のアントラキノン誘導体を含有する請求項１記載の濃縮物。
【請求項３】
式Ｉおよび式ＩＩ中で、
Ｚ１、Ｚ２は相互に無関係に水素またはＮＨＲを表し、
Ｒ１、Ｒ２は相互に無関係にＲを表し、
Ｘは水素、シアノまたはＣＨ（Ｒ９）（Ｒ１０）を表し、
ｎ、ｍは０、１、２、３または４を表し、その際、ｎもしくはｍが１より大である場合、基ＲもしくはＸは同じであるか、または相互に異なっており、
Ｒ９、Ｒ１０は相互に無関係にシアノまたはＣＯＯＲを表し、
Ｒ３は水素、ＲまたはＮＨＲを表し、
Ｒ４〜Ｒ７は水素またはＮＨＲを表し、
Ｒ８はＮＨＲを表し、かつ
Ｒはエーテル官能基中で１〜４の酸素原子により中断されていてもよいＣ１〜Ｃ１５−アルキル、エーテル官能基中で１〜４の酸素原子により中断されていてもよい１もしくは複数のＣ１〜Ｃ１５−アルキル基により置換されていてもよいシクロヘキシル、エーテル官能基中で１〜４の酸素原子により中断されていてもよい１もしくは複数のＣ１〜Ｃ１５−アルキル基により置換されていてもよい飽和の複素環式５員もしくは６員の基、エーテル官能基中で１〜４の酸素原子により中断されていてもよい１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより置換されていてもよいＣ６〜Ｃ１０−アリール、エーテル官能基中で１〜４の酸素原子により中断されていてもよい１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより置換されていてもよい、３〜５の炭素原子を有するヘテロアリール、フェニル基中で、エーテル官能基中で１〜４の酸素原子により中断されていてもよい１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより置換されていてもよいフェニル−Ｃ１〜Ｃ４−アルキル、またはヘテロアリール基中に３〜５の炭素原子を有するヘテロアリール−Ｃ１〜Ｃ４−アルキルを表し、その際、後者はエーテル官能基中で１〜４の酸素原子により中断されていてもよい１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより置換されていてもよいことを特徴とする、請求項２記載の濃縮物。
【請求項４】
鉱油に添加剤を添加するための請求項１から３までのいずれか１項記載の濃縮物の使用。
【請求項５】
請求項１から３までのいずれか１項記載の濃縮物を含有する鉱油。
【発明の詳細な説明】
【技術分野】
【０００１】
本発明は、標識物質として少なくとも１のアントラキノン誘導体を含有する燃料および潤滑剤添加剤の濃縮物、鉱油に添加剤を添加するための該濃縮物の使用ならびにこのような濃縮物を含有する鉱油に関する。
【０００２】
鉱油に添加剤を添加するためには多くの場合、キャリアオイルおよび種々の燃料添加剤の混合物に加えて通常は着色剤ならびに、国家財産的または製造元特有の目に見えない標識のためにさらに標識物質を含有する添加剤濃縮物（以下では関連する言語慣用に従って「パッケージ」ともよぶ）が使用される。このパッケージにより種々の鉱油販売会社は添加剤が添加されていない鉱油の「プール」から供給することができ、かつその個々のパッケージによりはじめて鉱油に、たとえば相応する輸送容器に充填する間に、会社特有の添加剤、着色ならびに標識を付与することが可能になる。
【０００３】
標識物質は多くの場合、鉱油から抽出され、かつ引き続き誘導体にすることによって着色した化合物へと変換される物質であるか、または可視スペクトルの波長範囲でも不可視スペクトルの波長範囲でも吸収を示す（たとえばＮＩＲにおいて）物質である。それ自体でそのまま使用される、つまりあらかじめ誘導体にした後ではじめて使用されるのではない標識物質として、種々の化合物群、たとえばフタロシアニン、ナフタロシアニン、ニッケル−ジチオール錯体、芳香族アミンのアミニウム化合物、メチン着色剤およびアズレンスクエア酸着色剤（たとえばＷＯ９４／０２５７０Ａ１、ＷＯ９６／１０６２０Ａ１）、あるいはまたビスアゾ着色剤（たとえばＥＰ２５６４６０Ａ１）が提案されている。ガソリンもしくは鉱油を着色するためのアントラキノン誘導体は文献ＵＳ２，６１１，７７２、ＵＳ２，０６８，３７２、ＥＰ１００１００３Ａ１およびＥＰ１３２３８１１Ａ２に記載されている。
【０００４】
実地では通例の標識物質の多くはたしかに鉱油中での希釈された比率では安定しているが、しかしパッケージ中の濃縮された条件では安定していないことが判明している。パッケージ成分の作用により、標識物質の特性（たとえば吸光度）は短時間で変化する。
【０００５】
ところで本発明の課題は、濃縮物中に含有されている標識物質の、該濃縮物の残りの成分の作用に対する安定性に関しても、極めて良好な長期間安定性により優れている燃料および潤滑剤添加剤の濃縮物を提供することであった。
【０００６】
これに応じて、冒頭で言及した、標識物質として少なくとも１のアントラキノン誘導体を含有する燃料および潤滑剤添加剤の濃縮物（パッケージ）が判明した。
【０００７】
本発明によるパッケージは特に成分として以下のものを含有している：
ａ）少なくとも１のアントラキノン誘導体、
ｂ）少なくとも１のキャリアオイル、
ｃ）界面活性剤、分散剤および弁座摩耗防止剤からなる群から選択される少なくとも１の添加剤
ｄ）ならびに場合によりその他の添加剤および助剤。
【０００８】
成分ａ）として特に、
式Ｉ
【０００９】
【化１】
2007515532.tif 000002
式ＩＩ
【００１０】
【化２】
2007515532.tif 000003
および式ＩＩＩ
【００１１】
【化３】
2007515532.tif 000004
［式中、
Ｚ１、Ｚ２は相互に無関係に水素、ヒドロキシ、ＯＲ、ＮＨＲまたはＮＲ２を表し、
Ｒ１、Ｒ２は相互に無関係にＲまたはＣＯＲを表し、
Ｘは水素、シアノ、ニトロ、ヒドロキシ、ＯＲ、アミノ、ＮＨＲ、ＲまたはＣＨ（Ｒ９）（Ｒ１０）を表し、
ｎ、ｍは０、１、２、３または４を表し、その際、そのつどｎもしくはｍが１より大である場合、基ＲもしくはＸは同じであるか、または相互に異なっており、
Ｒ９、Ｒ１０は相互に無関係にシアノ、ＣＯＯＨまたはＣＯＯＲを表し、
Ｒ３は水素、ＲまたはＮＨＲを表し、
Ｒ４〜Ｒ８は相互に無関係に水素、ＲまたはＮＨＲを表し、かつ
Ｒは場合によりエーテル官能基中で１〜４の酸素原子により中断されているＣ１〜Ｃ２０−アルキル、場合によりエーテル官能基中で１〜４の酸素原子により中断されている、１もしくは複数のＣ１〜Ｃ２０−アルキル基により場合により置換されているＣ５〜Ｃ７−シクロアルキル、場合によりエーテル官能基中で１〜４の酸素原子により中断されている、１もしくは複数のＣ１〜Ｃ２０−アルキル基により場合により置換されている飽和の複素環式の５員もしくは６員の基、１もしくは複数のハロゲン、シアノ、ニトロ、ヒドロキシ、アミノ、場合によりエーテル官能基中で１〜４の酸素原子により中断されているＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されているＣ６〜Ｃ１０−アリール、場合によりエーテル官能基中で１〜４の酸素原子により中断されている、１もしくは複数のＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されている、３〜１２の炭素原子を有するヘテロアリール、アリール基中で１もしくは複数のハロゲン、シアノ、ニトロ、ヒドロキシ、アミノ、場合によりエーテル官能基中で１〜４の酸素原子により中断されているＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されているＣ６〜Ｃ１０−アリール−Ｃ１〜Ｃ４−アルキル、またはヘテロアリール基中に３〜１２の炭素原子を有するヘテロアリール−Ｃ１〜Ｃ４−アルキルを表し、その際、後者は場合によりエーテル官能基中で１〜４の酸素原子により中断されている１もしくは複数のＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されている］の化合物からなる群から選択されているアントラキノン誘導体を使用する。
【００１２】
場合によりエーテル官能基中で１〜４の酸素原子により中断されているＣ１〜Ｃ２０−アルキルとして、たとえばメチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチルノニル、イソトリデシル（上記の名称イソオクチル、イソノニル、イソデシルおよびイソトリデシルは慣用名であり、かつオキソ合成により得られるアルコールに由来する。このことに関してはＵｌｌｍａｎｎｓ  Ｅｎｃｙｋｌｏｐａｅｄｉｅ  ｄｅｒ  ｔｅｃｈｎｉｓｃｈｅｎ  Ｃｈｅｍｉｅ、第４版、第７巻、第２１５〜２１７頁ならびに第１１巻、第４３５〜４３６頁を参照のこと）、テトラデシル、ペンタデシル、ヘキサデシル、ヘプタデシル、オクタデシル、ノナデシル、エイコシル、メトキシメチル、２−エチルヘキソキシメチル、２−メトキシエチル、２−エトキシエチル、２−プロポキシエチル、２−イソプロポキシエチル、２−ブトキシエチル、２−もしくは３−メトキシプロピル、２−もしくは３−エトキシプロピル、２−もしくは３−プロポキシプロピル、２−もしくは３−ブトキシプロピル、２−もしくは４−メトキシブチル、２−もしくは４−エトキシブチル、２−もしくは４−プロポキシブチル、２−もしくは４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシルまたは３，６，９，１２−テトラオキサテトラデシルが挙げられる。
【００１３】
Ｃ５〜Ｃ７−シクロアルキル基として、シクロペンチル、シクロヘキシルおよびシクロヘプチルが該当する。これらのシクロアルキルは場合によりさらに１もしくは複数の、特に３までのＣ１〜Ｃ２０−アルキル基により置換されており、その際、後者は場合によりさらにエーテル官能基中で１〜４の酸素原子により中断されている。このような、場合によりさらに酸素原子により中断されているＣ１〜Ｃ２０−アルキル基の例はすでに上記で記載した。
【００１４】
場合によりエーテル官能基中で１〜４の酸素原子により中断されている、１もしくは複数のＣ１〜Ｃ２０−アルキル基により場合により置換されている飽和の複素環式の５員もしくは６員の基は、たとえばピロリジン、２−もしくは３−メチルピロリジン、２，４−ジメチル−３−エチルピロリジン、ピラゾリジン、２−、３−、４−もしくは５−メチルピラゾリジン、イミダゾリジン、２−、３−、４−もしくは５−メチルイミダゾリジン、オキサゾリジン、２−、４−もしくは５−メチルオキサゾリジン、イソオキサゾリジン、３−、４−もしくは５−メチルイソオキサゾリジン、ピペリジン、２−、３−、４−メチル−もしくは−エチルピペリジン、２，６−ジメチルピペリジン、ピペラジン、４−（Ｃ１〜Ｃ４−アルキル）ピペラジン、たとえば４−メチルピペラジンまたたは４−エチルピペラジン、モルホリン、チオモルホリンまたはチオモルホリン−Ｓ，Ｓ−ジオキシドから誘導される。
【００１５】
変項Ｚ１および／またはＺ２の定義の基ＯＲ、ＮＨＲおよびＮＲ２のＲ、変項Ｘの定義の基ＯＲおよびＮＨＲのＲ、基Ｒ９およびＲ１０の定義の基ＣＯＯＲのＲ、変項Ｒ３ならびにＲ４〜Ｒ８の定義の基ＮＨＲのＲが、相応する、場合により置換された飽和の複素環式の５員もしくは６員の基に相応する場合、該当する基のそのつどのヘテロ原子への結合は、複素環式の５員もしくは６員の基の炭素原子を介して行われる。同じことが、Ｒが変項Ｒ１およびＲ２の定義および変項Ｒ３の定義において単独で、相応する、場合により置換された飽和の複素環式の５員もしくは６員の基に相応する場合に該当する。その他の場合には該結合は複素環式の５員もしくは６員の基の炭素原子または結合のために適切なヘテロ原子を介して行われてもよい。
【００１６】
Ｃ６〜Ｃ１０−アリールとして特にフェニルおよびナフチルが挙げられる。これらは１もしくは複数のハロゲン、たとえばフッ素、塩素または臭素、シアノ、ニトロ、ヒドロキシ、アミノ、場合によりエーテル官能基中で１〜４の酸素原子により中断されているＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されている。場合によりエーテル官能基中で１〜４の酸素原子により中断されている、相応するＣ１〜Ｃ２０−アルキル基、もしくはＣ１〜Ｃ２０−アルコキシ基、Ｃ１〜Ｃ２０−アルキルアミノ基またはＣ１〜Ｃ２０−ジアルキルアミノ基中に含有されているＣ１〜Ｃ２０−アルキル基はすでに上記で例として記載した。
【００１７】
場合によりエーテル官能基中で１〜４の酸素原子により中断されている、１もしくは複数のＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されている、３〜１２の炭素原子を有するヘテロアリール基はたとえば、ピロール、フラン、チオフェン、ピラゾール、イソキサゾール、イソチアゾール、イミダゾール、１Ｈ−１，２，３−トリアゾール、１Ｈ−１，２，４−トリアゾール、ピリジン、ピラジン、ピリダジン、１Ｈ−アゼピン、２Ｈ−アゼピン、オキサゾール、チアゾール、１，２，３−、１，２，４−もしくは１，３，４−オキサゾール、１，２，３−、１，２，４−もしくは１，３，４−チアジアゾールならびに場合によりベンゼン環縮合もしくはジベンゼン環縮合した環、たとえばキノリン、イソキノリン、インドール、ベンゾ［ｂ］フラン（クマロン）、ベンゾ［ｂ］チオフェン（チオナフテン）、カルバゾール、ジベンゾフラン、ジベンゾチオフェン、１Ｈ−インダゾール、インドキサゾール、ベンゾ［ｄ］イソチアゾール、アントラニル、ベンズイミダゾール、ベンズオキサゾール、ベンゾチアゾール、キノリン、フタラジン、キナゾリン、キノキサリンまたはフェナジンから誘導される。場合によりエーテル官能基中で１〜４の酸素原子により中断されているＣ１〜Ｃ２０−アルキル置換基はすでに上記で例として記載した。
【００１８】
変項Ｚ１および／またはＺ２の定義の基ＯＲ、ＮＨＲおよびＮＲ２のＲ、変項Ｘの定義の基ＯＲおよびＮＨＲのＲ、基Ｒ９およびＲ１０の定義の基ＣＯＯＲのＲ、変項Ｒ３ならびにＲ４〜Ｒ８の定義の基ＮＨＲのＲが、相応する、場合により置換されたヘテロアリールに相応する場合、該当する基のそのつどのヘテロ原子への結合はヘテロアリールの炭素原子を介して行われる。同じことが、変項Ｒ１および／またはＲ２の定義および変項Ｒ３の定義においてＲが単独で、相応する、場合により置換されたヘテロアリールに相応する場合には該当する。その他の場合には該結合はヘテロアリールの炭素原子または結合のために適切なヘテロ原子を介して行われてよい。
【００１９】
アルキル基中で１もしくは複数のハロゲン、シアノ、ニトロ、ヒドロキシ、アミノ、場合によりエーテル官能基中で１〜４の酸素原子により中断されているＣ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されているＣ６〜Ｃ１０−アリール−Ｃ１〜Ｃ４−アルキルとして、特にベンジル、フェニルエチル、３−フェニルプロピルおよび４−フェニルブチルが挙げられる。場合によりエーテル官能基中で１〜４の酸素原子により中断されている相応するＣ１〜Ｃ２０−アルキル基、もしくはＣ１〜Ｃ２０−アルコキシ基、Ｃ１〜Ｃ２０−アルキルアミノ基またはＣ１〜Ｃ２０−ジアルキルアミノ基中に含有されているＣ１〜Ｃ２０−アルキル基は、すでに上記で例として記載した。
【００２０】
１もしくは複数の、場合によりエーテル官能基中で１〜４の酸素原子により中断されている、Ｃ１〜Ｃ２０−アルキル、Ｃ１〜Ｃ２０−アルコキシ、Ｃ１〜Ｃ２０−アルキルアミノまたはＣ１〜Ｃ２０−ジアルキルアミノにより場合により置換されている、ヘテロアリール基中に３〜１２の炭素原子を有するヘテロアリール−Ｃ１〜Ｃ４−アルキルは、たとえばすでに上記に挙げたヘテロアリール基から誘導され、該基はヘテロアリールの炭素原子を介して、または結合のために適切なヘテロ原子を介してＣ１〜Ｃ４−アルキル基に結合している。場合によりエーテル官能基中で１〜４の酸素原子により中断されている相応するＣ１〜Ｃ２０−アルキル基、もしくはＣ１〜Ｃ２０−アルコキシ基、Ｃ１〜Ｃ２０−アルキルアミノ基またはＣ１〜Ｃ２０−ジアルキルアミノ基中に含有されているＣ１〜Ｃ２０−アルキル基はすでに上記で例として記載した。
【００２１】
有利な本発明による燃料および潤滑剤添加剤の濃縮物は、式中で、
Ｚ１、Ｚ２は相互に無関係に水素またはＮＨＲを表し、
Ｒ１、Ｒ２は相互に無関係にＲを表し、
Ｘは水素、シアノまたはＣＨ（Ｒ９）（Ｒ１０）を表し、
ｎ、ｍは０、１、２、３または４を表し、その際、ｎもしくはｍは１より大である場合、基ＲもしくはＸは同じであるか、または相互に異なっており、
Ｒ９、Ｒ１０は相互に無関係にシアノまたはＣＯＯＲを表し、
Ｒ３は水素、ＲまたはＮＨＲを表し、
Ｒ４〜Ｒ７は水素またはＮＨＲを表し、
Ｒ８はＮＨＲを表し、かつ
Ｒは場合によりエーテル官能基中で１〜４の酸素原子により中断されているＣ１〜Ｃ１５−アルキル、場合によりエーテル官能基中で１〜４の酸素原子により中断されている、１もしくは複数のＣ１〜Ｃ１５−アルキル基により場合により置換されているシクロヘキシル、場合によりエーテル官能基中で１〜４の酸素原子により中断されている、１もしくは複数のＣ１〜Ｃ１５−アルキル基により場合により置換されている飽和の複素環式の５員もしくは６員の基、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されているＣ６〜Ｃ１０−アリール、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されている、３〜５の炭素原子を有するヘテロアリール、フェニル基中で、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されているフェニル−Ｃ１〜Ｃ４−アルキル、またはヘテロアリール基中に３〜５の炭素原子を有するヘテロアリール−Ｃ１〜Ｃ４−アルキルを表し、その際、後者は、場合によりエーテル官能基中で１〜４の酸素原子により中断されている１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されている
式Ｉ、ＩＩおよびＩＩＩのアントラキノン誘導体を含有し、その際、有利な基Ｒはすでに前記で例として記載したもののなかに記載されている。
【００２２】
式Ｉのアントラキノン誘導体として特に以下に示す式Ｉａ〜Ｉｆの化合物が挙げられる：
【００２３】
【化４】
2007515532.tif 000005
【００２４】
この場合、式Ｉａ〜Ｉｅ中で変項Ｒはそのつど相互に無関係に、および式Ｉｆ中で変項Ｒは場合によりエーテル官能基中で１〜４の酸素原子により中断されているＣ１〜Ｃ１５−アルキル、および場合によりエーテル官能基中で１〜４の酸素原子により中断されている、１もしくは複数のＣ１〜Ｃ１５−アルキルにより場合により置換されているＣ６〜Ｃ１０−アリールを表す。
【００２５】
場合によりエーテル官能基中で１〜４の酸素原子により中断されているＣ１〜Ｃ１５−アルキルの意味において、変項Ｒの選択は有利には、メチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチル−ノニル、イソトリデシル、テトラデシル、ペンタデシル、メトキシメチル、２−エチルヘキソキシメチル、２−メトキシエチル、２−エトキシエチル、２−プロポキシエチル、２−イソプロポキシエチル、２−ブトキシエチル、２−および３−メトキシプロピル、２−および３−エトキシプロピル、２−および３−プロポキシプロピル、２−および３−ブトキシプロピル、２−および４−メトキシブチル、２−および４−エトキシブチル、２−および４−プロポキシブチル、２−および４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシルおよび３，６，９，１２−テトラオキサテトラデシルからなる群から行われる。
【００２６】
場合によりエーテル官能基中で１〜４の酸素原子により中断されている、１もしくは複数のＣ１〜Ｃ１５−アルキルにより場合により置換されたＣ６〜Ｃ１０−アルキルの意味において、変項Ｒの選択は有利には、非置換のフェニル、場合によりエーテル官能基中で酸素により中断されている、前記で例としてあげたＣ１〜Ｃ１５−アルキル基により置換されている、２−、３−および４−位でモノ置換、２，３−、２，４−および３，４−位でジ置換および２，３，４−、２，３，５−、２，３，６−、２，４，５−、２，４，６−および３，４，５−位でトリ置換されたフェニル基からなる群から行われる。
【００２７】
有利には式Ｉａ〜Ｉｅの化合物中のそのつど基Ｒは同一である。
【００２８】
式ＩＩのアントラキノン誘導体として特に以下に示す式ＩＩａ〜ＩＩｃの化合物が挙げられる：
【００２９】
【化５】
2007515532.tif 000006
【００３０】
この場合、式ＩＩａ〜ＩＩｃ中で変項Ｒ、Ｒ１およびＲ２は相互に無関係に、場合によりエーテル官能基中で１〜４の酸素原子により中断されているＣ１〜Ｃ１５−アルキル、および場合によりエーテル官能基中で１〜４の酸素原子により中断されている、１もしくは複数のＣ１〜Ｃ１５−アルキルにより場合により置換されたＣ６〜Ｃ１０−アリールを表す。
【００３１】
式ＩＩａ〜ＩＩｃ中のＸは、アントラキノン骨格の２，３−位もしくは６，７−位の２の水素原子、２のシアノ基または２，３−位もしくは６，７−位の２の同一の基ＣＨ（Ｒ９）（Ｒ１０）を表す。後者の両方の基ＣＨ（Ｒ９）（Ｒ１０）は、２の基ＣＨ（ＣＯＯＲ）２、ＣＨ（ＣＮ）ＣＯＯＲまたはＣＨ（ＣＮ）２であり、その際、基Ｒは有利には、場合によりエーテル官能基中で１〜４の酸素原子により中断されているＣ１〜Ｃ１５−アルキル、または場合によりエーテル官能基中で１〜４の酸素原子により中断されている、１もしくは複数のＣ１〜Ｃ１５−アルキルにより場合により置換されたＣ６〜Ｃ１０−アリールを表す。
【００３２】
場合によりエーテル官能基中で１〜４の酸素原子により中断されているＣ１〜Ｃ１５−アルキルの意味において、変項Ｒ、Ｒ１およびＲ２の選択は有利にはメチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチル−ノニル、イソトリデシル、テトラデシル、ペンタデシル、メトキシメチル、２−エチルヘキソキシメチル、２−メトキシエチル、２−エトキシエチル、２−プロポキシエチル、２−イソプロポキシエチル、２−ブトキシエチル、２−および３−メトキシプロピル、２−および３−エトキシプロピル、２−および３−プロポキシプロピル、２−および３−ブトキシプロピル、２−および４−メトキシブチル、２−および４−エトキシブチル、２−および４−プロポキシブチル、２−および４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシルおよび３，６，９，１２−テトラオキサテトラデシルからなる群から行われる。
【００３３】
場合によりエーテル官能基中で１〜４の酸素原子により中断されている、１もしくは複数のＣ１〜Ｃ１５−アルキルにより場合により置換されたＣ６〜Ｃ１０−アリールの意味において、変項Ｒ、Ｒ１およびＲ２の選択は、非置換のフェニル、場合によりエーテル官能基中で酸素により中断されている前記で例として記載したＣ１〜Ｃ１５−アルキル基により置換されている２−、３−および４−位でモノ置換、２，３−位、２，４−位および３，４−位でジ置換および２，３，４−位、２，３，５−位、２，３，６−位、２，４，５−位、２，４，６−位および３，４，５−位でトリ置換されたフェニル基からなる群から行われる。
【００３４】
特に有利には両方の変項Ｒ、Ｒ１およびＲ２もしくはＲ、Ｒ１およびＲ２もしくはＲ１およびＲ２が相互に同じである式ＩＩａ、ＩＩｂおよびＩＩｃの化合物、つまり相応する化合物として以下のものが挙げられる：
【００３５】
【化６】
2007515532.tif 000007
【００３６】
【化７】
2007515532.tif 000008
ならびに６，７−位でシアノ基または基ＣＨ（Ｒ９）（Ｒ１０）により置換された相応する化合物、その際、変項Ｒは前記のものを表す。
【００３７】
本発明により使用すべき式ＩＩＩのアントラキノン誘導体として特に以下に示す式ＩＩＩａ〜ＩＩＩｄの化合物が挙げられる：
【００３８】
【化８】
2007515532.tif 000009
［式中、
Ｒ３は、ＲまたはＮＨＲを表し、
Ｒ８は、ＮＨＲを表し、
Ｗは、水素またはＮＨＲの意味における基Ｒ４〜Ｒ７を表し、
ｐは、１、２、３または４を表し、その際、ｐが１より大の場合には基は同一であり、かつ
Ｒは場合によりエーテル官能基中で１〜４の酸素原子により中断されているＣ１〜Ｃ１５−アルキル、場合によりエーテル官能基中で１〜４の酸素原子により中断されている、１もしくは複数のＣ１〜Ｃ１５−アルキル基により場合により置換されているシクロヘキシル、場合によりエーテル官能基中で１〜４の酸素原子により中断されている、１もしくは複数のＣ１〜Ｃ１５−アルキル基により場合により置換されている飽和の複素環式の５員もしくは６員の基、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されているＣ６〜Ｃ１０−アリール、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されている、３〜５の炭素原子を有するヘテロアリール、フェニル基中で、場合によりエーテル官能基中で１〜４の酸素原子により中断されている、１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されているフェニル−Ｃ１〜Ｃ４−アルキル、またはヘテロアリール基中に３〜５の炭素原子を有するヘテロアリール−Ｃ１〜Ｃ４−アルキルを表し、その際、後者は、場合によりエーテル官能基中で１〜４の酸素原子により中断されている１もしくは複数のＣ１〜Ｃ１５−アルキル、Ｃ１〜Ｃ１５−アルコキシ、Ｃ１〜Ｃ１５−アルキルアミノまたはＣ１〜Ｃ１５−ジアルキルアミノにより場合により置換されており、
その際、有利な基Ｒはすでに前記で記載した一般的な基Ｒの定義において例として記載したものである］。
【００３９】
式ＩＩＩａ〜ＩＩＩｄ中のＲは特に有利には場合によりエーテル官能基中で１〜４の酸素原子により中断されているＣ１〜Ｃ１５−アルキル、または場合によりエーテル官能基中で１〜４の酸素原子により中断されている、１もしくは複数のＣ１〜Ｃ１５−アルキルにより場合により置換されているＣ６〜Ｃ１０−アリールを表す。
【００４０】
式ＩＩＩａ〜ＩＩＩｄ中のＲは特に、メチル、エチル、プロピル、イソプロピル、ブチル、イソブチル、ｓ−ブチル、ｔ−ブチル、ペンチル、イソ−ペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチル−ノニル、イソトリデシル、テトラデシル、ペンタデシル、メトキシメチル、２−エチルヘキソキシメチル、２−メトキシエチル、２−エトキシエチル、２−プロポキシエチル、２−イソプロポキシエチル、２−ブトキシエチル、２−および３−メトキシプロピル、２−および３−エトキシプロピル、２−および３−プロポキシプロピル、２−および３−ブトキシプロピル、２−および４−メトキシブチル、２−および４−エトキシブチル、２−および４−プロポキシブチル、２−および４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシル、３，６，９，１２−テトラオキサトリデシル、非置換のフェニル、場合によりエーテル官能基中で酸素により中断されている、メチル、エチル、プロピル、イソプロピル、ブチル、イソブチル、ｓ−ブチル、ｔ−ブチル、ペンチル、イソ−ペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチル−ノニル、イソトリデシル、テトラデシル、ペンタデシル、メトキシメチル、２−エチルヘキソキシメチル、２−メトキシエチル、２−エトキシエチル、２−プロポキシエチル、２−イソプロポキシエチル、２−ブトキシエチル、２−および３−メトキシプロピル、２−および３−エトキシプロピル、２−および３−プロポキシプロピル、２−および３−ブトキシプロピル、２−および４−メトキシブチル、２−および４−エトキシブチル、２−および４−プロポキシブチル、２−および４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシルおよび３，６，９，１２−テトラオキサテトラデシルからなる群から選択された前記で例として記載したＣ１〜Ｃ１５−アルキル基により置換されている２−、３−および４−位でモノ置換、２，３−位、２，４−位および３，４−位でジ置換および２，３，４−位、２，３，５−位、２，３，６−位、２，４，５−位、２，４，６−位および３，４，５−位でトリ置換されたフェニル基からなる群から選択されている。
【００４１】
キャリアオイルとして通常は粘性の、高沸点および特に熱安定性の液体を使用する。キャリアオイルは熱い金属表面、たとえばインレット・バルブを薄い液膜で覆い、かつこのことによって金属表面における分解生成物の形成および堆積を防止するか、または遅らせる。
【００４２】
本発明による燃料および潤滑剤添加剤の濃縮物の成分ｂ）として考えられるキャリアオイルはたとえば鉱物性のキャリアオイル（基油）特に「溶剤中性（Solvent Neutral：ＳＮ）５００〜２０００」の粘度クラスのオイル、ＭＮ＝４００〜１８００のオレフィン重合体をベースとする、特にポリブテンもしくはポリイソブテンをベースとする（水素化された、または水素化されていない）、ポリアルファオレフィンまたはポリ内部オレフィンをベースとする合成キャリアオイル、ならびにアルコキシル化長鎖アルコールまたはフェノールをベースとする合成キャリアオイルである。本発明によればキャリアオイルとして使用すべき、エチレンオキシド、プロピレンオキシドおよび／またはブチレンオキシドの、ポリブチル−もしくはポリイソブテンアルコールへの付加物はたとえば文献ＥＰ２７７３４５Ａ１に記載されており、その他の本発明により使用すべきポリアルケンアルコール−ポリアルコキシレートは文献ＷＯ００／５０５４３Ａ１に記載されている。本発明により使用すべき別のキャリアオイルとして、たとえば文献ＷＯ００／６１７０８に記載されているようなポリアルケンアルコール−ポリエーテルアミンが挙げられる。
【００４３】
当然のことながら、本発明によるパッケージの残りの成分と互いに相容性である限りは、種々のキャリアオイルの混合物もまた使用することができる。
【００４４】
内燃機関の気化器および吸気装置あるいはまた燃料供給装置のための噴射装置もまた次第に、たとえば空気からの微粒子および燃焼室からの未燃焼炭化水素残分に起因する不純物により負荷される。
【００４５】
これらの不純物の低減または回避のために、バルブおよび気化器もしくは噴射装置の清浄維持のために燃料に添加剤（界面活性剤）を添加する。このような界面活性剤は一般に、１もしくは複数のキャリアオイルと組み合わせて適用される。該キャリアオイルは付加的な「洗浄機能」を果たし、界面活性剤の清浄作用および清浄維持作用を支援および促進し、かつこうして界面活性剤の必要量の低減に貢献することができる。
【００４６】
ここでさらに、通常、キャリアオイルとして使用される物質の多くはさらに界面活性剤および／または分散剤としての作用を展開し、このことによってこのような場合に後者の割合を低減することができることに言及しておく。界面活性剤／分散剤の作用を有するこのようなキャリアオイルはたとえば最後に挙げたＷＯ文献に記載されている。
【００４７】
界面活性剤、分散剤および弁座摩耗防止剤の作用様式もまたしばしば相互に明確に境界付けることはできず、従ってこれらの化合物はまとめて成分ｃ）に記載されている。本発明によるパッケージにおいて適用される通常の界面活性剤はたとえば文献ＷＯ００／５０５４３Ａ１およびＷＯ００／６１７０８Ａ１に記載されており、かつ次のものを含む：
ＥＰ−Ａ２４４６１６により高反応性のポリイソブテンのヒドロホルミル化および引き続きアンモニア、モノアミンまたはポリアミン、たとえばジメチレンアミノプロピルアミン、エチレンジアミン、ジエチレントリアミン、トリエチレンテトラミンまたはテトラエチレンペンタミンを用いた還元アミノ化によって得られるポリイソブテンアミン、
主としてｂ−位およびｇ−位に二重結合を有するポリブテンまたはポリイソブテンの塩素化および引き続きアンモニア、モノアミンまたは上記のポリアミンを用いたアミノ化により得られるポリ（イソ）ブテンアミン、
空気またはオゾンによるポリ（イソ）ブテンの二重結合の、カルボニル化合物またはカルボキシル化合物への酸化および引き続き還元（水素化）条件下でのアミノ化により得られるポリ（イソ）ブテンアミン、
ＤＥ−Ａ１９６２０２６２により、アミンとの反応およびその後のアミノアルコールの脱水および還元によりポリイソブテンエポキシドから得られるポリイソブテンアミン、
ＷＯ−Ａ９７／０３９４６により、平均重合度Ｐ＝５〜１００を有するポリイソブテンと酸化窒素または酸化窒素と酸素とからなる混合物との反応および引き続き該反応生成物の水素化により得られる、場合によりヒドロキシル基を有するポリイソブテンアミン、
ＥＰ−Ａ４７６４８５により、ポリイソブテンエポキシドとアンモニア、モノアミンまたは上記のポリアミンとの反応により得られる、ヒドロキシル基を有するポリイソブテンアミン、
Ｃ２〜Ｃ３０−アルカノール、Ｃ６〜Ｃ３０−アルカンジオール、モノ−もしくはジ−Ｃ２〜Ｃ３０−アルキルアミン、Ｃ１〜Ｃ３０−アルキルシクロヘキサノールまたはＣ１〜Ｃ３０−アルキルフェノールと、ヒドロキシル基もしくはアミノ基あたり１〜３０モルのエチレンオキシドおよび／またはプロピレンオキシドおよび／またはブチレンオキシドとの反応および引き続きアンモニア、モノアミンまたは上記のポリアミンによる還元アミノ化により得られるポリエーテルアミン、ならびに
ＥＰ−Ａ８３１１４１によりポリイソブテン置換されたフェノールとアルデヒドおよびモノアミンまたは上記のポリアミンとの反応により得られる「ポリイソブテン−マンニッヒ塩基」。
【００４８】
本発明により使用すべきその他の界面活性剤および／または弁座摩耗防止剤はたとえば文献ＷＯ００／４７６９８Ａ１に記載されており、かつ数平均分子量（ＭＮ）８５〜２００００を有する少なくとも１の疎水性炭化水素基および少なくとも１の極性基を有する化合物を含み、かつ次のものから選択されている：
（ｉ）６までの窒素原子を有するモノアミノ基またはポリアミノ基、この場合、少なくとも１の窒素原子は塩基性の特性を有する、
（ｉｉ）場合によりヒドロキシル基と組み合わせたニトロ基、
（ｉｉｉ）モノアミノ基またはポリアミノ基と組み合わせたヒドロキシル基、その際、少なくとも１の窒素原子は塩基性の特性を有する、
（ｉｖ）カルボキシル基またはそのアルカリ金属塩もしくはアルカリ土類金属塩、
（ｖ）スルホン酸基またはそのアルカリ金属塩もしくはアルカリ土類金属塩、
（ｖｉ）ヒドロキシル基、少なくとも１の窒素原子が塩基性の特性を有するモノアミノ基もしくはポリアミノ基を、またはカルバメート基を末端に有するポリオキシ−Ｃ２〜Ｃ４−アルキレン基、
（ｖｉｉ）カルボン酸エステル基、
（ｖｉｉｉ）無水コハク酸から誘導される、ヒドロキシ基および／またはアミノ基および／またはアミド基および／またはイミド基を有する基および
（ｉｘ）フェノール性ヒドロキシル基とアルデヒドおよびモノアミンもしくはポリアミンのマンニッヒ反応から得られる基。
【００４９】
モノアミノ基またはポリアミノ基（ｉ）を含有する添加剤は有利にはポリプロペンまたは高反応性の（つまり、主として末端の二重結合を、多くの場合、β−位およびγ−位に有する）か、または通例の（つまり、主として中に位置する二重結合を有する）ポリブテンまたはポリイソブテンをベースとし、ＭＮ＝３００〜５０００を有する、ポリアルケンモノアミンまたはポリアルケンポリアミンである。このような、ｎ−ブテン単位を２０質量％まで有していてもよいポリイソブテンからヒドロホルミル化およびアンモニア、モノアミンまたはポリアミン、たとえばジメチルアミノプロピルアミン、エチレンジアミン、ジエチレントリアミン、トリエチレンテトラミンまたはテトラエチレンペンタミンによる還元アミノ化により製造することができる高反応性のポリイソブテンをベースとする添加剤は、特に文献ＥＰ２４４６１６Ａ２から公知である。添加剤を製造する際に主として中に位置する二重結合を（多くの場合、β−位およびγ−位に）有するポリブテンまたはポリイソブテンから出発する場合、塩素化および引き続きアミノ化によるか、または空気もしくはオゾンを用いた、カルボニル化合物またはカルボキシル化合物への二重結合の酸化による、および引き続き還元（水素化）条件下でのアミノ化による製造経路が提供される。この場合、アミノ化のために同一のアミンを上記のとおり、ヒドロホルミル化された高反応性ポリイソブテンの還元アミノ化のために使用することができる。ポリプロペンをベースとする相応する添加剤は特に文献ＷＯ９４／２４２３１Ａ１に記載されている。
【００５０】
別の有利なモノアミノ基（ｉ）を有する添加剤は、平均重合度Ｐ＝５〜１００を有するポリイソブテンと、酸化窒素もしくは酸化窒素と酸素とからなる混合物とからの反応生成物の水素化生成物であり、これらはたとえば文献ＷＯ９７／０３９４６Ａ１に記載されている。
【００５１】
別の有利なモノアミノ基（ｉ）を有する添加剤はポリイソブテンエポキシドからアミンとの反応およびその後のアミノアルコールの脱水および還元により得られる化合物であり、これらは特に文献ＤＥ１９６２０２６２Ａ１に記載されている。
【００５２】
場合によりヒドロキシル基と組み合わせて、ニトロ基（ｉｉ）を含有する添加剤は有利には平均重合度Ｐ＝５〜１００または１０〜１００のポリイソブテンと、酸化窒素もしくは酸化窒素と酸素とからなる混合物との反応生成物であり、これらは特に文献ＷＯ９６／０３３６７Ａ１およびＷＯ９６／０３４７９Ａ１に記載されている。これらの反応生成物は通常、純粋なニトロポリイソブタン（たとえばα，β−ジニトロポリイソブタン）と、混合されたヒドロキシニトロポリイソブタン（たとえばα−ニトロ−β−ヒドロキシポリイソブタン）とからなる混合物である。
【００５３】
ヒドロキシル基をモノアミノ基もしくはポリアミノ基（ｉｉｉ）と組み合わせて含有している添加剤は特に、有利に主として末端の二重結合を有し、ＭＮ＝３００〜５０００を有するポリイソブテンと、アンモニア、モノアミンもしくはポリアミンとから得られるポリイソブテンエポキシドの反応生成物であり、これらは特に文献ＥＰ４７６４８５Ａ１に記載されている。
【００５４】
カルボキシル基またはそのアルカリ金属塩またはアルカリ土類金属塩（ｉｖ）を含有する添加剤は有利にはＣ２〜Ｃ４０のオレフィンと、全モル質量５００〜２００００を有する無水マレイン酸とのコポリマーであり、そのカルボキシル基は完全に、もしくは部分的にアルカリ金属塩もしくはアルカリ土類金属塩へと、およびカルボキシル基の残りの基はアルコールまたはアミンと反応している。このような添加剤は特に文献ＥＰ３０７８１５Ａ１から公知である。このような添加剤は主として弁座の摩耗防止のために使用され、かつたとえば文献ＷＯ８７／０１１２６Ａ１に記載されており、通例の界面活性剤、たとえばポリ（イソ）ブテンアミンまたはポリエーテルアミンと組み合わせて有利に使用することができる。
【００５５】
スルホン酸基またはそのアルカリ金属塩もしくはアルカリ土類金属塩（ｖ）を含有する添加剤は有利にはスルホコハク酸アルキルエステルのアルカリ金属塩またはアルカリ土類金属塩であり、これは特に文献ＥＰ６３９６３２Ａ１に記載されている。このような添加剤は主として弁座の摩耗防止のために使用され、かつ通例の界面活性剤、たとえばポリ（イソ）ブテンアミンまたはポリエーテルアミンと有利に組み合わせて使用することができる。
【００５６】
ポリオキシ−Ｃ２〜Ｃ４−アルキレン基（ｖｉ）を有する添加剤は有利にはポリエーテルまたはポリエーテルアミンであり、これらはＣ２〜Ｃ６０−アルカノール、Ｃ６〜Ｃ３０−アルカンジオール、モノ−もしくはジ−Ｃ２〜Ｃ３０−アルキルアミン、Ｃ１〜Ｃ３０−アルキルシクロヘキサノールまたはＣ１〜Ｃ３０−アルキルフェノールと、ヒドロキシル基またはアミノ基あたり１〜３０モルのエチレンオキシドおよび／またはプロピレンオキシドおよび／またはブチレンオキシドとの反応により、およびポリエーテルアミンの場合、アンモニア、モノアミンもしくはポリアミンを用いたその後の還元アミノ化により得られる。このような生成物は特に文献ＥＰ３１０８７５Ａ１、ＥＰ３５６７２５Ａ１、ＥＰ７００９８５Ａ１およびＵＳ４，８７７，４１６に記載されている。ポリエーテルの場合、このような生成物はキャリアオイルの特性も有する。このために一般的な例はトリデカノール−もしくはイソトリデカノールブトキシレート、イソノニルフェノールブトキシレートならびにポリイソブテノールブトキシレートおよび−プロポキシレートならびにアンモニアとの相応する反応生成物である。
【００５７】
カルボン酸エステル基（ｖｉｉ）を有する添加剤は有利にはモノ−、ジ−もしくはトリカルボン酸と、長鎖のアルカノールもしくはポリオールとからなるエステルであり、特に１００℃で２ｍｍ２／ｓの最小粘度を有するエステルであり、これらはたとえば特に文献ＤＥ３８３８９１８Ａ１に記載されている。モノカルボン酸、ジカルボン酸またはトリカルボン酸として脂肪族または芳香族の酸を使用することができ、エステルアルコールもしくはポリオールとして特にたとえば６〜２４の炭素原子を有する長鎖の代表例が適切である。エステルの一般的な代表例はイソ−オクタノール、イソ−ノナノール、イソ−デカノールおよびイソ−トリデカノールのアジペート、フタレート、イソ−フタレート、テレフタレートおよびトリメリテートである。このような生成物はキャリアオイルの特性もまた満足する。
【００５８】
無水コハク酸から誘導され、ヒドロキシ基および／またはアミノ基および／またはアミド基および／またはイミド基（ｖｉｉｉ）を有する基を含有する添加剤は、有利にはポリイソブテニル無水コハク酸の相応する誘導体であり、これは通例の、または高反応性のＭＮ＝３００〜５０００を有するポリイソブテンと、無水マレイン酸とを熱的な方法で、または塩素化されたポリイソブテンを経由して反応させることにより得られる。この場合、特に重要であるのは脂肪族ポリアミン、たとえばエチレンジアミン、ジエチレントリアミン、トリエチレンテトラミンまたはテトラエチレンペンタミンとの誘導体である。このようなオットー燃料添加剤は特に文献ＵＳ４，８４９，５７２に記載されている。
【００５９】
フェノール性ヒドロキシル基と、アルデヒドおよびモノアミンもしくはポリアミンとのマンニッヒ反応により得られる基（ｉｘ）を有する添加剤は有利にはポリイソブテン置換されたフェノールとホルムアルデヒドおよびモノアミンもしくはポリアミン、たとえばエチレンジアミン、ジエチレントリアミン、トリエチレンテトラミン、テトラエチレンペンタミンまたはジメチルアミノプロピルアミンとの反応生成物である。ポリイソブテニル置換されたフェノールは通例の、もしくは高反応性のＭＮ＝３００〜５０００を有するポリイソブテンから由来する。このような「ポリイソブテン−マンニッヒ塩基」は特に文献ＥＰ８３１１４１Ａ１に記載されている。
【００６０】
個別的に記載される添加剤の正確な定義のためにここでは従来技術の上記の文献の開示を明文をもって引用する。
【００６１】
成分ｃ）としての分散剤はたとえばポリイソブテンコハク酸無水物のイミド、アミド、エステルおよびアンモニウム塩およびアルカリ金属塩である。これらの化合物は特に潤滑油中で使用されるが、しかし部分的に燃料組成物中の界面活性剤としても使用される。
【００６２】
場合により本発明によるパッケージの成分ｄ）として存在していてもよいその他の添加剤および助剤は、有機溶剤、たとえばアルコール、たとえばメタノール、エタノール、プロパノール、イソプロパノール、ブタノール、イソブタノール、ｓ−ブタノール、ペンタノール、イソペンタノール、ネオペタノールまたはヘキサノール、たとえばグリコール、たとえば１，２−エチレングリコール、１，２−もしくは１，３−プロピレングリコール、１，２−、２，３−もしくは１，４−ブチレングリコール、ジ−もしくはトリエチレングリコールまたはジ−もしくはトリプロピレングリコール、たとえばエーテル、たとえばメチルｔ−ブチルエーテル、１，２−エチレングリコールモノ−もしくは−ジメチルエーテル、１，２−エチレングリコールモノ−もしくは−ジエチルエーテル、３−メトキシプロパノール、３−イソプロポキシプロパノール、テトラヒドロフランまたはジオキサン、たとえばケトン、たとえばアセトン、メチルエチルケトンまたはジアセトンアルコール、たとえばエステル、たとえば酢酸メチルエステル、酢酸エチルエステル、酢酸プロピルエステルまたは酢酸ブチルエステル、たとえばラクタム、たとえばＮ−メチルピロリジノン（ＮＭＰ）、たとえば脂肪族もしくは芳香族炭化水素ならびにこれらの混合物、たとえばペンタン、ヘキサン、ヘプタン、オクタン、イソオクタン、石油エーテル、トルエン、キシレン、エチルベンゼン、テトラリン、デカリン、ジメチルナフタリンまたはホワイトスピリットおよびたとえば鉱油、たとえばガソリン、ケロシン、ディーゼル油または加熱油である。
【００６３】
腐食防止剤、たとえば有色金属腐食防止の際の塗膜形成傾向のある有機カルボン酸のアンモニウム塩または複素環式芳香族化合物をベースとするもの、
酸化防止剤または安定剤、たとえばアミン、たとえばｐ−フェニレンジアミン、ジシクロヘキシルアミンもしくはこれらの誘導体またはフェノール、たとえば２，４−ジ−ｔ−ブチルフェノールまたは３，５−ジ−ｔ−ブチル−４−ヒドロキシフェニルプロピオン酸をベースとするもの、解乳化剤、
帯電防止剤、
メタロセン、たとえばフェロセンまたはメチルシクロペンタジエニルマンガントリカルボニル、
潤滑性改善剤（潤滑剤）、たとえば特定の脂肪酸、アルケニルコハク酸エステル、ビス（ヒドロキシアルキル）脂肪アミン、ヒドロキシアセトアミドまたはひまし油、
燃料のｐＨ値を低下させるためのアミン、
その他の、アントラキノン誘導体とは異なる標識物質ならびに
着色剤。
【００６４】
成分ａ）、つまり少なくとも１のアントラキノン誘導体の濃度は、本発明によるパッケージ中で通常、鉱油にパッケージを添加した後で所望の標識物質濃度がその中に含有されているような程度に選択される。鉱油中での標識物質の通常の濃度は約０．０１〜数１０質量ｐｐｍの範囲である。
【００６５】
そのつど成分ａ）〜ｃ）および場合によりｄ）の全量に対して
成分ｂ）、つまり少なくとも１のキャリアオイルは、本発明によるパッケージ中で通常、１〜５０質量％、特に５〜３０質量％の濃度で、および
成分ｃ）、つまり少なくとも１の界面活性剤および／または少なくとも１の分散剤は、通常２５〜９０質量％、特に３０〜８０質量％の濃度で
、含有されており、その際、成分ａ）〜ｃ）および場合によりｄ）の成分の個々の濃度の合計は１００質量％である。
【００６６】
燃料のｐＨ値の低下のために、成分ｄ）として腐食防止剤、酸化防止剤または安定剤、解乳化剤、帯電防止剤、メタロセン、潤滑性改善剤およびアミンが本発明によるパッケージ中に含有されている場合、これらの濃度は合計して通常、パッケージの全量に対して（つまり成分ａ）〜ｃ）およびｄ）の全量の対して）１０質量％を超えることはなく、その際、腐食防止剤および解乳化剤の濃度は通常、そのつどパッケージの全量の約０．０１〜０．５質量％の範囲である。
【００６７】
成分ｄ）として付加的な（つまりすでに残りの成分と共に導入されていない）有機溶剤が本発明によるパッケージ中に含有されている場合、その濃度は合計して通常、パッケージの全量に対して２０質量％以上になることはない。これらの溶剤は通常、より正確な供給性に関して、純粋な標識物質および／または着色剤の代わりにパッケージに添加される標識物質および／または着色剤の溶液に由来する。
【００６８】
成分ｄ）として別の、アントラキノン誘導体とは異なる標識物質が本発明によるパッケージ中に含有されている場合、その濃度は再び、該物質が鉱油中でのパッケージに添加後に有すべき含有率に従って算定される。同じことが成分ａ）について記載したことにも該当する。
【００６９】
成分ｄ）として着色剤が本発明によるパッケージ中に含有されている場合、その濃度は通常、パッケージの全量に対して約０．１〜５質量％である。
【００７０】
実施例：
以下に示すアントラキノン誘導体を試験した。化合物１〜９の合成は、１，４，５，８−テトラクロロアントラキノンおよび相応する置換されたアニリンから出発して文献ＥＰ０３２３１８４Ａ１に記載された方法により行った。
【００７１】
化合物１（λｍａｘ＝７５３ｎｍ、ＴＨＦ）：
【００７２】
【化９】
2007515532.tif 000010
化合物２（λｍａｘ＝７５０ｎｍ、ＴＨＦ）：
【００７３】
【化１０】
2007515532.tif 000011
化合物３（λｍａｘ＝６７３ｎｍ、ＴＨＦ）：
【００７４】
【化１１】
2007515532.tif 000012
化合物４（λｍａｘ＝７５８ｎｍ、ＴＨＦ）：
【００７５】
【化１２】
2007515532.tif 000013
化合物５（λｍａｘ＝７５６ｎｍ、ＴＨＦ）：
【００７６】
【化１３】
2007515532.tif 000014
化合物６（λｍａｘ＝７５６ｎｍ、ＴＨＦ）：
【００７７】
【化１４】
2007515532.tif 000015
化合物７（λｍａｘ＝７５６ｎｍ、ＴＨＦ）：
【００７８】
【化１５】
2007515532.tif 000016
化合物８：
【００７９】
【化１６】
2007515532.tif 000017
化合物９（λｍａｘ＝６７０ｎｍ、ＴＨＦ）：
【００８０】
【化１７】
2007515532.tif 000018
【００８１】
三置換された化合物が化合物８を製造する際の副生物として得られた。
化合物１０（λｍａｘ＝６４３ｎｍ、ＴＨＦ）：
【００８２】
【化１８】
2007515532.tif 000019
【００８３】
Ｓ．Ｇ．３３（ＢＡＳＦ社から得られる市販品）
化合物１１（λｍａｘ＝３２８ｎｍ、ＴＨＦ）：
【００８４】
【化１９】
2007515532.tif 000020
（ＢＡＳＦ社から得られる市販品）
化合物１２（λｍａｘ＝６４８ｎｍ、ＴＨＦ）：
【００８５】
【化２０】
2007515532.tif 000021
【００８６】
Ｓ．Ｂ．７９（ＢＡＳＦ社から得られる市販品）
比較（λｍａｘ＝７７０ｎｍ、ＴＨＦ）：
比較化合物として以下の式のフタロシアニンを使用した：
【００８７】
【化２１】
2007515532.tif 000022
（ＷＯ９８／５２９５０Ａ１により製造）
貯蔵安定性のための試験
燃料および潤滑剤添加剤の濃縮物の使用される試験混合物をその中に含有されている成分およびこれらのそのつどの割合と共に以下の第１表に記載した：
【００８８】
【表１】
2007515532.tif 000023
（界面活性剤、キャリアオイル、腐食防止剤および解乳化剤はたとえばＢＡＳＦ社から得られる市販品である）
Ａ）第１表に記載されている主成分である界面活性剤およびキャリアオイルに対する化合物１〜９および比較化合物の貯蔵安定性を試験した。このためにそのつどの化合物５０〜１００ｍｇをＳｈｅｌｌｓｏｌ  ＡＢ  ５０ｍｌ中に溶解するか、または、Ｓｈｅｌｌｓｏｌ  ＡＢ中での化合物の溶解度が十分ではない場合には、該化合物をまずイソプロパノールまたはＮＭＰ約５ｍｌで溶解し、かつ次いでＳｈｅｌｌｓｏｌ  ＡＢ  で５０ｍｌになるまで満たす。引き続き該溶液を折りたたみ濾紙により濾過した。
【００８９】
濾液１〜３ｍｌを界面活性剤またはキャリアオイルで１０ｍｌまで満たし（そのつどの化合物の０．０１〜０．０８％の濃度に相応）、かつ１ｍｍのキュベットで相応する、添加剤を添加していない対照に対して測定した。
【００９０】
試料を１０ｍｌのアンプル中に充填し、気密に密閉し、かつ水浴中に５０℃で貯蔵した。
【００９１】
その結果は第２表および第３表に記載されている。全ての試験において初期吸光度を標準化した。
【００９２】
【表２】
2007515532.tif 000024
【００９３】
【表３】
2007515532.tif 000025
【００９４】
比較化合物はキャリアオイルの存在下で、界面活性剤が存在する場合よりも時間に依存した標準化吸光度の明らかにより迅速な低下を示した。従ってこれらの値は記載しなかった。
【００９５】
Ｂ）第１表からの界面活性剤および燃料および潤滑剤添加剤の濃縮物に対する化合物１０〜１２の貯蔵安定性を試験した。このために、界面活性剤もしくは燃料および潤滑剤添加剤の濃縮物中の化合物１０〜１２の１質量％の含有率を有する溶液を製造し、かつ室温ならびに４０℃での貯蔵時間に依存した標準化吸光度を決定した。標準化は貯蔵の開始時（つまり、相応する溶液の製造の直後）における吸光度の値に行った。結果は記載に記載されている。
【００９６】
化合物１０：
室温での界面活性剤：７〜１４日の貯蔵時間後に標準化吸光度の変化は確認することができなかった。
４０℃での界面活性剤：７〜１４日の貯蔵時間後に標準化吸光度の変化は確認することができなかった。
室温での燃料および潤滑剤添加剤の濃縮物：７〜１４日の貯蔵時間後に標準化吸光度の変化は確認することができなかった。
４０℃での燃料および潤滑剤添加剤の濃縮物：７〜１４日の貯蔵時間後に標準化吸光度の変化は確認することができなかった。
【００９７】
化合物１１：
室温での界面活性剤：４、１２、２８および４２日の貯蔵時間後に標準化吸光度の変化は確認することができなかった。
４０℃での界面活性剤：４、１２、２８および４２日の貯蔵時間後に標準化吸光度の変化は確認することができなかった。
室温での燃料および潤滑剤添加剤の濃縮物：２１日および２８日の貯蔵時間後に標準化吸光度の変化は確認することができなかった。
４０℃での燃料および潤滑剤添加剤の濃縮物：２１日および２８日の貯蔵時間後に標準化吸光度の変化は確認することができなかった。
【００９８】
化合物１２：
室温での界面活性剤：４、１２、２８および４２日の貯蔵時間後に標準化吸光度の変化は実質的に確認することができなかった。結果は以下の表が示している：
【００９９】
【表４】
2007515532.tif 000026
４０℃での界面活性剤：４、１２、２８および４２日の貯蔵時間後に標準化吸光度の変化は実質的に確認することができなかった。結果は以下の表が示している：
【０１００】
【表５】
2007515532.tif 000027
【国際調査報告】
2007515532.tif 000031
2007515532.tif 000032
2007515532.tif 000033
2007515532.tif 000034
2007515532.tif 000035
2007515532.tif 000036